(57)【要約】【課題】前面ピースと側面ピースとを相互に縫い合せた端末に相当する縫い代を簡単な作業で適正なクッションパッドの側面側に外倒れ位置させてシート表皮をクッションパッドに組み付ける。【解決手段】前面ピース１と側面ピース２とを相互に縫い合せた端末に相当する縫い代４ａ，４ｂを内側に有する背抜き立体形のシート表皮Ｃを備え、引摺りカバー５を縫い代４ａ，４ｂの当り部位に相当するクッションパッドＰのパッド面に被せ、その引摺りカバー５を被せたクッションパッドＰをシート表皮Ｃで覆ってから、引摺りカバー５をシート表皮Ｃの背抜き側より引き取って縫い代４ａ，４ｂをクッションパッドＰの側面側に外倒れ位置させる。【選択図】　図５
2004000340.tif 000002
【特許請求の範囲】
【請求項１】
前面ピースと側面ピースとを相互に縫い合せた端末に相当する縫い代を内側に有する背抜き立体形のシート表皮をクッションパッドに組付け被着するにあたり、引摺りカバーを該縫い代の当り部位に相当するクッションパッドのパッド面に被せ、その引摺りカバーを被せたクッションパッドをシート表皮で覆ってから、引摺りカバーをシート表皮の背抜き側より引き取って前面ピースと側面ピースの端末に相当する縫い代をクッションパッドの側面側に外倒れ位置するようにしたことを特徴とするシート表皮の組付け被着方法。
【請求項２】
シート表皮の内面と相対する面が摩擦抵抗の高い引摺りカバーを用いるようにしたことを特徴とする請求項１に記載のシート表皮の組付け被着方法。
【請求項３】
クッションパッドのパッド面と相対する面が滑り性に富む引摺りカバーを用いるようにしたことを特徴とする請求項１または２に記載のシート表皮の組付け被着方法。
【発明の詳細な説明】
【０００１】
【発明の属する技術分野】
本発明は、主として自動車用のシートを組み立てるに際し、前面ピースと側面ピースとを相互に縫い合せた端末に相当する縫い代を内側に有する背抜き立体形のシート表皮をクッションパッドに組付け被着するのに適用されるシート表皮の組付け被着方法に関するものである。
【０００２】
【従来の技術】
自動車用シートにおいては、図６で示すようにシート表皮の前面ピース１と側面ピース２とを端末相互で縫い合せた縫い目から土手部の外郭線３を形成することが行われている。この縫い目による外郭線３に応じ、図７で示すように前面ピース１と側面ピース２とを相互に縫い合せた端末に相当する縫い代４ａ，４ｂが存在する。
【０００３】
その縫い代４ａ，４ｂは、図８で示すようにシート表皮ＣとしてクッションパッドＰに被せた状態で適正なクッションパッドＰの側面側に外倒れ位置すればよい。然し、この縫い代４ａ，４ｂはシート表皮ＣをクッションパッドＰに単に被せるだけであると、クッションパッドＰの側面側に外倒れ位置しない場合が生ずる。
【０００４】
その縫い代４ａ，４ｂが外倒れしていない場合のうち、図９で示すように片方４ａが内倒れし、他方４ｂが外倒れすると、縫い目が開いてしまう。また、図１０で示すように縫い代４ａ，４ｂが内倒れすると、土手部の外郭線３がうねってしまう。
【０００５】
そのいずれの場合であっても体裁上好ましくないため、シート表皮を引張って捩ったりすることにより、縫い代を基準位置まで修正することが行われている。然し、この作業はシート表皮をクッションパッドに被せた状態で行うため、手間と時間とが掛かる。
【０００６】
【発明が解決しようとする課題】
本発明は、前面ピースと側面ピースとを相互に縫い合せた端末に相当する縫い代を簡単な作業で適正なクッションパッドの側面側に外倒れ位置させることにより、シート表皮をクッションパッドに組み付けられるシート表皮の組付け被着方法を提供することを目的とする。
【０００７】
【課題を解決するための手段】
本発明の請求項１に係るシート表皮の組付け被着方法においては、前面ピースと側面ピースとを相互に縫い合せた端末に相当する縫い代を内側に有する背抜き立体形のシート表皮をクッションパッドに組付け被着するにあたり、引摺りカバーを該縫い代の当り部位に相当するクッションパッドのパッド面に被せ、その引摺りカバーを被せたクッションパッドをシート表皮で覆ってから、引摺りカバーをシート表皮の背抜き側より引き取って前面ピースと側面ピースの端末に相当する縫い代をクッションパッドの側面側に外倒れ位置するようにされている。
【０００８】
本発明の請求項２に係るシート表皮の組付け被着方法においては、シート表皮の内面と相対する面が摩擦抵抗の高い引摺りカバーを用いるようにされている。
【０００９】
本発明の請求項３に係るシート表皮の組付け被着方法においては、クッションパッドのパッド面と相対する面が滑り性に富む引摺りカバーを用いるようにされている。
【００１０】
【発明の実施の形態】
以下、図１〜図５を参照して説明すると、図示実施の形態は、図６で示すと同様にシート表皮の前面ピースと側面ピースとを端末相互で縫い合せた縫い目から土手部の外郭線を形成し、シート表皮をクッションパッドに組付け被着するのに適用されている。このシート表皮をクッションパッドに組付け被着するのに、共通の構成部は同じ符号で示す。
【００１１】
シート表皮は、座面ピースと土手面ピースとから前面を形成し、側面ピースから側面並びに背面袖を形成することにより背抜きの立体形状に縫製されている。このため、前面と側面の外郭線に応じては互いを縫い合せた端末に相当する縫い代が存在する。
【００１２】
その縫い代をクッションパッドの側面側に外倒れ位置させるのに、図１で示すような引摺りカバー５が用いられている。この引摺りカバー５は、布材をベースに、シート表皮の内面と相対する面５ａを織目付きや起毛面等から摩擦抵抗の高いものに形成し、また、クッションパッドのパッド面と相対する面５ｂをシリコンコート等から滑り性に富むものに形成するとよい。
【００１３】
その引摺りカバー５は、まず、図２で示すように縫い代４ａ，４ｂの当り部位に相当するクッションパッドＰのパッド面に被せる。次に、図３で示すように引摺りカバー５を被せたクッションパッドＰをシート表皮Ｃで覆う。このシート表皮Ｃの組付けに伴って、縫い代４ａ，４ｂが共に内倒れし、また、片方４ａが内倒れし、他方４ｂが外倒れしていてもよい。
【００１４】
そのシート表皮Ｃの組付け後、図４で示すように引摺りカバー５をシート表皮Ｃの背抜き側より引き取る。これに伴って、縫い代４ａ，４ｂが共に内倒れしている場合を想定すると、まず、引摺りカバー５と接している側の縫い代４ｂがクッションパッドＰの側面側に外倒れする。その縫い代４ｂが外倒れすると、他方の縫い代４ａが引摺りカバー５と接することから、図５で示すように引摺りカバー５を更に引けば、縫い代４ｂもクッションパッドＰの側面側に外倒れする。
【００１５】
その引摺りカバー５の引き取りに伴っては、縫い代４ａ，４ｂと引摺りカバー５とを密着させる多少のテンションを掛けるとよい。これと共に、シート表皮Ｃの内面と相対する引摺りカバー５の布面５ａが摩擦抵抗の高いものであれば、縫い代４ａ，４ｂを効率よく外倒れさせられる。また、クッションパッドのパッド面と相対する布面５ｂが滑り性に富むものであれば、引摺りカバー５をスムースに引き取れる。
【００１６】
その縫い代４ａ，４ｂを揃えて外倒れさせた後は、例えば側面ピース２の端末に備えたフック６をシートフレーム７に掛け止めることから、縫い代４ａ，４ｂを外倒れ状態に保ってシート表皮Ｃをクッションパッドに組付け被着できる。
【００１７】
そのシート表皮の組付け被着作業では、引摺りカバー５を縫い代４ａ，４ｂの当り部位に相当するクッションパッドＰのパッド面に被せ、また、引摺りカバー５をシート表皮Ｃの背抜き側より引き取るだけの簡単な手間により、縫い代４ａ，４ｂをクッションパッドＰの側面側に揃えて外倒れさせられる。
【００１８】
【発明の効果】
以上の如く、本発明の請求項１に係るシート表皮の組付け被着方法に依れば、引摺りカバーを縫い代の当り部位に相当するクッションパッドのパッド面に被せ、その引摺りカバーを被せたクッションパッドをシート表皮で覆ってから、引摺りカバーをシート表皮の背抜き側より引き取るという簡単な作業により、前面ピースと側面ピースの端末に相当する縫い代をクッションパッドの側面側に確実に外倒れ位置させられる。
【００１９】
本発明の請求項２に係るシート表皮の組付け被着方法に依れば、シート表皮の内面と相対する面が摩擦抵抗の高い引摺りカバーを用いることにより、縫い代を効率よくより確実に外倒れさせられる。
【００２０】
本発明の請求項３に係るシート表皮の組付け被着方法に依れば、クッションパッドのパッド面と相対する面が滑り性に富む引摺りカバーを用いることにより、引摺りカバーをスムースに引き取れる。
【図面の簡単な説明】
【図１】本発明に係るシート表皮の組付け被着方法で用いられる引摺りカバーを示す説明図である。
【図２】本発明に係るシート表皮の組付け被着方法で引摺りカバーをクッションパッドに被せる工程を示す説明図である。
【図３】図２の工程に引き続くシート表皮をクッションパッドに被せる工程を示す説明図である。
【図４】図３の工程に引き続く引摺りカバーを引き取る工程を引取り途上で示す説明図である。
【図５】図４の工程に引き続く引摺りカバーを更に引き取る工程を示す説明図である。
【図６】一般例に係る自動車シートを示す説明図である。
【図７】一般例に係る自動車シートのシート表皮を示す説明図である。
【図８】シート表皮の適正な組付け状態を示す説明図である。
【図９】シート表皮の不具合な組付け状態を示す説明図である。
【図１０】シート表皮の不具合な別の組付け状態を示す説明図である。
【符号の説明】
１　　　　　　　前面ピース
２　　　　　　　側面ピース
３　　　　　　　前面ピースと側面ピースとの縫い目
４ａ，４ｂ　　　縫い代
５　　　　　　　引摺りカバー
５ａ　　　　　　引摺りカバーの摩擦面
５ｂ　　　　　　引摺りカバーの滑性面
【図１】
2004000340.tif 000003
【図２】
2004000340.tif 000004
【図３】
2004000340.tif 000005
【図４】
2004000340.tif 000006
【図５】
2004000340.tif 000007
【図６】
2004000340.tif 000008
【図７】
2004000340.tif 000009
【図８】
2004000340.tif 000010
【図９】
2004000340.tif 000011
【図１０】
2004000340.tif 000012